(57)【要約】      （修正有）【課題】低コストで、小さいスペースに設置することができる吸脱着部材及びそれを用いた空調システムを提供する。【解決手段】吸脱着部材１’は、水分を吸脱着する吸脱着材及び吸脱着材を保持する繊維を有する吸脱着材シート１１、波形に形成され吸脱着材シート１１の一方の面に積層されることで第１流路を形成する第１セパレータ１２1と、波形に形成され吸脱着材シート１１の他方の面に第１セパレータ１２1とは異なる角度で積層されることで第１流路Ａとは異なる角度で第２流路Ｂを形成する第２セパレータ１２２と、を備える。【選択図】図２
2014139489.tif 000002
【特許請求の範囲】
【請求項１】
水分を吸脱着する吸脱着材及び前記吸脱着材を保持する繊維を有する吸脱着材シートと、
波形に形成され前記吸脱着材シートの一方の面に積層されることで第１流路を形成する第１セパレータと、
波形に形成され前記吸脱着材シートの他方の面に前記第１セパレータとは異なる角度で積層されることで前記第１流路とは異なる角度で第２流路を形成する第２セパレータと、
を備えることを特徴とする吸脱着部材。
【請求項２】
前記吸脱着材シート、第１セパレータ、及び第２セパレータで積層体を形成し、
前記積層体を前記吸脱着材シートとは別の吸脱着材シートを挟んで少なくとも２つ積層する
ことを特徴とする請求項１に記載の吸脱着部材。
【請求項３】
請求項１又は２に記載の吸脱着部材を備える水分吸脱着部と、
外気を冷却する第１冷却部と、
前記第１冷却部で冷却され前記水分吸脱着部内の前記吸脱着部材の前記第１流路を通過する空気の流量を制御する第１ダンパと、
前記第１ダンパを通過した空気を冷却する第２冷却部と、
室内の空気を加熱する加熱部と、
前記加熱部で加熱され前記水分吸脱着部内の前記吸脱着部材の前記第２流路を通過した空気の流量を制御する第２ダンパと、
を備える
ことを特徴とする請求項１又は２に記載の吸脱着部材を用いた空調システム。
【請求項４】
前記第１ダンパの開度及び前記第２ダンパの開度を制御する制御部を備え、
前記制御部は、
前記第１ダンパの開度が前記第２ダンパの開度よりも小さい第１の状態と、
前記第１ダンパの開度が前記第２ダンパの開度よりも大きい第２の状態と、
を交互に切り替える
ことを特徴とする請求項３に記載の吸脱着部材を用いた空調システム。
【請求項５】
前記制御部は、前記第１の状態と前記第２の状態とを所定時間毎に切り替える
ことを特徴とする請求項４に記載の吸脱着部材を用いた空調システム。
【発明の詳細な説明】
【技術分野】
【０００１】
本発明は、空気から水分を除湿する吸脱着部材及びそれを用いた空調システムに関する。
【背景技術】
【０００２】
従来、空気から直接水分を除去・分離し、適切な温度・湿度に調整して室内へ供給するデシカント空調システムが知られている（特許文献１参照）。
【０００３】
図１３は、従来のロータ５２を用いたデシカント空調システム５０を示す図である。例えば、ロータ５２を用いたデシカント空調システム５０は、デシカント空調ユニット５１と、ロータ５２と、第１冷却部５３と、第２冷却部５４と、加熱部５５と、を備える。
【０００４】
ロータを用いたデシカント空調システム５０では、まず、温度ｔi０、湿度ｈi０の外気ＯＡを処理空気として冷凍機等の第１冷却部５３で冷却し、温度ｔi１、湿度ｈi１の処理空気とする。冷却された処理空気は、ロータ５２を通り、吸着材に水分を吸着されることで、除湿される。ロータ５２で除湿された温度ｔi２、湿度ｈi２の処理空気は、第２冷却部５４で冷却され、温度ｔiｇ、湿度ｈiｇの給気ＳＡとして室内に供給される。
【０００５】
室内からの再生空気ＲＡは、加熱部５５で、加熱され温度ｔo１、湿度ｈo１の再生空気となる。再生空気は、ロータ５２を通り、吸着材から水分が放出されることで、加湿される。ロータ５２で加湿された温度ｔoｇ、湿度ｈoｇの再生空気は、排気ＥＡとして屋外に排出される。
【０００６】
すなわち、吸着材をロータ５２内に収納し、ロータ５２の上半分に湿った空気を通し、水分を吸着させ、ロータ５２の回転により、水分を吸着した吸着材が下半分に移動した際に、温められた空気がロータ５２の下半分を通過することで吸着材の水分が放出される。その後、ロータ５２の回転により、再び、乾燥した吸着材が上半分に移動する。ロータ５２を用いたデシカント空調システム５０では、このロータ５２の回転に伴う吸着剤による水分の吸着脱着を繰り返すことで空調を行う。
【先行技術文献】
【特許文献】
【０００７】
【特許文献１】特許第５０６８２９３号公報
【発明の概要】
【発明が解決しようとする課題】
【０００８】
従来のロータ５２を用いたデシカント空調システム５０では、ロータ５２が大きいので、装置が大型化し、広いスペースを有する場所しか設置できなかった。また、ロータ５２を用いたデシカント空調システム５０は、装置が大型で、設備を製作及び設置するためのコストも高いものであった。
【０００９】
さらに、ロータ５２を用いたデシカント空調システム５０では、加熱部５５で加熱された再生空気がデシカント空調ユニット５１を通過する際に、ロータ５２を温め、温められたロータ５２は、処理空気側に回転する。つまり、処理空気側を通過する第１冷却部５３で冷却された処理空気は、ロータ５２を通過する際に、温度が高くなってしまい、第２冷却部５４で冷却する際に必要なエネルギが増加してしまう。
【００１０】
したがって、ロータ５２を用いたデシカント空調システム５０では、ロータ５２を回転させるために多くのエネルギを必要とすると共に、処理空気を第２冷却部５４で冷却する際のエネルギも多く必要となり、省エネルギを実現することが困難であった。
【００１１】
本発明の目的は、このような問題点を解決するためになされたものであり、低コストで、小さいスペースに設置することが可能であると共に、省エネルギで使用することが可能な吸脱着部材及びそれを用いた空調システムを提供することである。
【課題を解決するための手段】
【００１２】
本発明に係る一実施形態の吸脱着部材は、水分を吸脱着する吸脱着材及び前記吸脱着材を保持する繊維を有する吸脱着材シートと、波形に形成され前記吸脱着材シートの一方の面に積層されることで第１流路を形成する第１セパレータと、波形に形成され前記吸脱着材シートの他方の面に前記第１セパレータとは異なる角度で積層されることで前記第１流路とは異なる角度で第２流路を形成する第２セパレータと、を備えることを特徴とする。
【００１３】
本発明に係る一実施形態の吸脱着部材は、前記吸脱着材シート、第１セパレータ、及び第２セパレータで積層体を形成し、前記積層体を前記吸脱着材シートとは別の吸脱着材シートを挟んで少なくとも２つ積層する。
【００１４】
本発明に係る一実施形態の空調システムは、外気を冷却する第１冷却部と、前記第１冷却部で冷却され前記第１流路を通過した空気の流量を制御する第１ダンパと、前記第１ダンパを通過した空気を冷却する第２冷却部と、室内の空気を加熱する加熱部と、前記加熱部で加熱され前記第２流路を通過した空気の流量を制御する第２ダンパと、を備える。
【００１５】
本発明に係る一実施形態の空調システムは、前記第１ダンパの開度及び前記第２ダンパの開度を制御する制御部を備え、前記制御部は、前記第１ダンパの開度が前記第２ダンパの開度よりも小さい第１の状態と、前記第１ダンパの開度が前記第２ダンパの開度よりも大きい第２の状態と、を交互に切り替える。
【００１６】
本発明に係る一実施形態の空調システムは、前記制御部は、前記第１の状態と前記第２の状態とを所定時間毎に切り替える。
【発明の効果】
【００１７】
本発明に係る一実施形態によれば、低コストで、小さいスペースに設置することが可能であると共に、省エネルギで使用することが可能な吸脱着部材及びそれを用いた空調システムを提供することが可能となる。
【図面の簡単な説明】
【００１８】
【図１】本発明にかかる一実施形態の空調システム１０を示す図である。
【図２】本発明にかかる一実施形態の吸脱着部材１を示す図である。
【図３】本発明にかかる一実施形態の吸脱着材シート１１を示す図である。
【図４】本発明にかかる他の実施形態の吸脱着材シート１１を示す図である。
【図５】本発明にかかる一実施形態の吸脱着部材１の相対湿度に対する水分吸脱着量を示す図である。
【図６】本発明にかかる一実施形態の空調システム１０によって空調される空気の各状態での温度と湿度を示す図である。
【図７】本発明にかかる一実施形態の空調システム１０の制御フローチャートの一例を示す図である。
【図８】本発明にかかる一実施形態の空調システム１０のタイミングチャートの一例を示す図である。
【図９】ダンパの開度と圧力の関係を示す図である。
【図１０】処理空気の流路の圧力が再生空気の流路の圧力よりも高い場合の吸脱着材シート１１での水分の様子を示す図である。
【図１１】処理空気の流路の圧力が再生空気の流路の圧力よりも低い場合の吸脱着材シート１１での水分の様子を示す図である。
【図１２】図１１の後、再び、処理空気の流路の圧力が再生空気の流路の圧力よりも高くなった場合の吸脱着材シート１１での水分の様子を示す図である。
【図１３】従来のデシカントローラーを用いた空調システム５０を示す図である。
【発明を実施するための形態】
【００１９】
本発明にかかる一実施形態の空調システムについて、以下説明する。
【００２０】
図１は、本発明にかかる一実施形態の空調システム１０を示す図である。
【００２１】
図１に示すように、本発明にかかる一実施形態の空調システム１０は、水分吸脱着部１と、第１冷却部２と、第１ダンパ３と、第２冷却部４と、加熱部５と、第２ダンパ６と、を備える。
【００２２】
第１冷却部２は、湿気を含んだ温度Ｔi０、湿度Ｈi０の外気ＯＡを冷却する。第１冷却部２によって冷却された温度Ｔi１、湿度Ｈi１の空気を水分吸脱着部１にファン等で送風する。水分吸脱着部１は、送風された空気を除湿し、温度Ｔi２、湿度Ｈi２の空気とする。第１ダンパ３は、開度を調節することで流れる空気の流量を制御し、水分吸脱着部１によって除湿される空気の圧力を制御することが可能である。第２冷却部４は、第１ダンパ３を通過した空気を冷却して、温度Ｔiｇ、湿度Ｈiｇの給気ＳＡとする。その後、ファン等により室内に送風する。
【００２３】
室内からの温度Ｔo０、湿度Ｈo０の戻り空気ＲＡは、加熱部５によって加熱され温度Ｔo１、湿度Ｈo１の空気となる。水分吸脱着部１は、加熱された空気を加湿し、温度Ｔoｇ、湿度Ｈoｇの空気とする。第２ダンパ６は、開度を調節することで、流れる空気の流量を制御し、水分吸脱着部１によって加湿される空気の圧力を制御することが可能である。
【００２４】
なお、本実施形態では、一例として、冷却除湿時の空調システム１０について説明している。例えば、第２冷却部４は、冷却機能のみ有するものではなく、加熱及び加湿機能を有してもよい。また、第１冷却部２には、冷凍機を用いて、加熱部５の加熱時の温水として、第１冷却部２で発生する排熱を利用することが好ましい。さらに、第１冷却部２で発生する排熱を、水分吸脱着部１での再熱として利用してもよい。
【００２５】
図２は、本発明にかかる一実施形態の吸脱着部材１’を示す図である。
【００２６】
水分吸脱着部１で用いられる吸脱着部材１’は、吸脱着材シート１１及びセパレータ１２を備える。
【００２７】
セパレータ１２は、図２に示すように、波形に形成され吸脱着材シート１１の一方の面に積層されることで第１流路Ａを形成する第１セパレータ１２1と、波形に形成され吸脱着材シート１１の他方の面に第１セパレータ１２1とは異なる角度で積層されることで第１流路Ａとは異なる角度で第２流路Ｂを形成する第２セパレータ１２2と、を備える。
【００２８】
例えば、図２に示すように、第１セパレータ１２1と吸脱着シート１１と第２セパレータ１２2とが順に積層された積層体２１を形成している場合、第１セパレータ１２1と第１の吸脱着シート１１との間に第１流路Ａを形成し、矢印Ａの方向に空気を流すことが可能となり、吸脱着シート１１と第２セパレータ１２2と間に第２流路Ｂを形成し、矢印Ｂの方向に空気を流すことが可能となる。
【００２９】
吸脱着材シート１１とセパレータ１２が交互に積層される際、第１セパレータ１２1と第２セパレータ１２2とは、波形の向きを約９０°回転させて設置されると好ましい。また、積層体２１の両外層には、第１外層部材１３1及び第２外層部材１３2を設置して、積層体２１を挟んでもよい。外層部材は、吸脱着材シート１１を用いてもよいし、または、吸脱着材シート１１よりも強度の強い板状の部材を用いてもよい。
【００３０】
また、第１セパレータ１２1と吸脱着シート１１と第２セパレータ１２2とで形成される積層体２１は、少なくとも２層積層されることが好ましい。すなわち、両外層に第１外層部材１３1及び第２外層部材１３2を設置し、その間に、第１積層体２１1、第２積層体２１2、・・・第ｎ積層体２１n（ｎは自然数）のように、複数の積層体を設置してもよい。
【００３１】
図３は、本発明にかかる一実施形態の吸脱着材シート１１を示す図である。
【００３２】
吸脱着材シート１１は、繊維１１ａ、バインダ１１ｂ、及び吸脱着材１１ｃから形成される。
【００３３】
繊維１１ａは、無機又は有機の繊維からなる。バインダ１１ｂは、方向性のない繊維同士を接着する接着材である。吸脱着材１１ｃは、水分を吸着及び脱着可能な部材からなり、バインダ１１ｂで接着された繊維１１ａに付着させる。吸脱着材シート１１は、まず繊維１１ａをそれぞれバインダ１１ｂで接着してシートを形成し、続いて吸脱着材１１ｃを含む懸濁液に浸漬することで吸脱着材１１ｃをシートに含浸させた後に、に成形される。
【００３４】
図４は、本発明にかかる他の実施形態の吸脱着材シート１１を示す図である。
【００３５】
図４に示す吸脱着材シート１１は、繊維１１ａ及び吸脱着材１１ｃから形成される。この吸脱着材シート１１は、まず無機又は有機の繊維１１ａを層状に形成し、続いて吸脱着材１１ｃを間に挟んでシート状に成形される。
【００３６】
図５は、本発明にかかる一実施形態の吸脱着部材１’の相対湿度に対する水分吸脱着量を示す図である。
【００３７】
図５に示すように、吸脱着部材１’は、相対湿度が上昇すると水分吸脱着量が増加し、相対湿度が下降すると水分吸脱着量が減少し、この特性はヒステリシスを持つ。しかしながら、吸脱着部材１’は、温度依存性はほとんど持っていない。
【００３８】
図６は、本発明にかかる一実施形態の空調システム１０によって空調される空気の各状態での温度と湿度を示す図である。
【００３９】
図６において、○印は、図１に示した空調システム１０によって外気から設定温湿度までの処理空気の各状態を示している。例えば、外気Ｔi０，Ｈi０と記載された○印は外気の状態、Ｔi１，Ｈi１と記載された○印は、図１に記載された第１冷却部２で冷却された処理空気の状態、Ｔi２，Ｈi２と記載された○印は、図１に記載された吸脱着部１で除湿された処理空気の状態、Ｔiｇ，Ｈiｇと記載された○印は、図１に記載された第２冷却部４で冷却された処理空気の状態をそれぞれ示している。
【００４０】
また、図６において、●印は、図１に示した空調システム１０によって室内空気から外部に放出されるまでの再生空気の各状態を示している。例えば、室内Ｔo０，Ｈo０と記載された●印は室内空気の状態、Ｔo１，Ｈo１と記載された●印は、図１に記載された加熱部５で加熱された再生空気の状態、Ｔoｇ，Ｈoｇと記載された●印は、図１に記載された吸脱着部１で加湿された再生空気の状態をそれぞれ示している。
【００４１】
さらに、図６において、△印は、図１３に示した空調システム５０によって外気から設定温湿度までの処理空気の各状態を示している。例えば、外気ｔi０，ｈi０と記載された△印は外気の状態、ｔi１，ｈi１と記載された△印は、図１３に記載された第１冷却部５３で冷却された処理空気の状態、ｔi２，ｈi２と記載された△印は、図１３に記載されたロータ５２で除湿された処理空気の状態、ｔiｇ，ｈiｇと記載された△印は、図１３に記載された第２冷却部５４で冷却された処理空気の状態をそれぞれ示している。
【００４２】
また、図６において、▲印は、図１３に示した空調システム５０によって室内空気から外部に放出されるまでの再生空気の各状態を示している。例えば、室内ｔo０，ｈo０と記載された▲印は室内空気の状態、ｔo１，ｈo１と記載された▲印は、図１３に記載された加熱部５で加熱された再生空気の状態、ｔoｇ，ｈoｇと記載された▲印は、図１３に記載されたロータ５２で加湿された再生空気の状態をそれぞれ示している。
【００４３】
図１３に示した空調システム５０では、外気から室内に送風する処理空気が、室内から排気され加熱部５５で加熱された再生空気が通過した後の回転したロータ５２を通過する影響で、ロータ５２で除湿される際に、処理空気の状態が温湿度ｔi１，ｈi１からｔi２，ｈi２へ変化する。
【００４４】
これに対して、本実施形態の吸脱着部材１’を用いた空調システム１０によれば、セパレータ１２による熱の移動が少ないため、外気から室内に送風する空気が吸脱着部材１’で除湿される際の空気の状態の変化は、温湿度Ｔi１，Ｈi１からＴi２，Ｈi２である。
【００４５】
したがって、その後、設定温湿度まで、第２冷却部４で空気を冷却する際の比エンタルピーは、図６に示すように、本実施形態の吸脱着部材１’を用いた空調システム１０の方が、図１３に示したロータ５２を用いた空調システム５０よりも少なくてすむ。
【００４６】
次に、本発明にかかる一実施形態の空調システム１０のダンパの制御について説明する。ダンパの制御の図示しない制御部によって行われる。
【００４７】
図７は、本発明にかかる一実施形態の空調システム１０の制御フローチャートの一例を示す図である。図８は、本発明にかかる一実施形態の空調システム１０のタイミングチャートの一例を示す図である。
【００４８】
本発明にかかる一実施形態の空調システム１０は、まず、ステップ１で、スイッチをＯＮとし、運転を開始する（ＳＴ１）。運転を開始する信号が入力されると、図示しない制御部が、図１に示した各部を作動させる。
【００４９】
次に、ステップ２で、第１ダンパ３の開度を５０％に調節し、第２ダンパ６の開度を１００％に調節する（ＳＴ２）。
【００５０】
次に、ステップ３で、所定時間が経過したか否かを判定する（ＳＴ３）。
【００５１】
ステップ３において、所定時間が経過していない場合、ステップ４で、空調システムを停止させるか否かを判定する（ＳＴ４）。
【００５２】
ステップ４において、空調システム１０を停止させる場合、ステップ８へ進む。ステップ４において、空調システム１０を停止させない場合、ステップ３へ戻る。
【００５３】
ステップ３において、所定時間が経過している場合、ステップ５で、第１ダンパ３の開度を１００％に調節し、第２ダンパ６の開度を５０％に調節する（ＳＴ５）。
【００５４】
次に、ステップ６で、所定時間が経過したか否かを判定する（ＳＴ６）。
【００５５】
ステップ６において、所定時間が経過している場合、ステップ２へ戻る。
【００５６】
ステップ６において、所定時間が経過していない場合、ステップ７で、空調システムを停止させるか否かを判定する（ＳＴ７）。
【００５７】
ステップ７において、空調システム１０を停止させない場合、ステップ６へ戻る。
【００５８】
ステップ４及びステップ７において、空調システム１０を停止させる場合、ステップ８で、第１ダンパ３及び第２ダンパ６を全閉する（ＳＴ８）。
【００５９】
次に、ステップ９で、スイッチをＯＦＦとし、運転を終了する（ＳＴ９）。
【００６０】
なお、図７に示すような空調システム１０の制御フローでは、第１ダンパ３と第２ダンパ６の開度を、それぞれ５０％と１００％で切り替える構成としたが、これに限らず、第１ダンパ３の開度が第２ダンパ６の開度よりも小さい第１の状態と、第１ダンパ３の開度が第２ダンパ６の開度よりも大きい第２の状態と、を交互に切り替える構成とすればよい。
【００６１】
図７に示すような空調システム１０の制御フローを実行すると、図８に示すように、空調システム１０がＯＮの間、第１ダンパ３と第２ダンパ６は、開度５０％と開度１００％を交互に繰り返すこととなる。
【００６２】
すなわち、第１ダンパ３と第２ダンパ６は、第１の状態と、第２の状態とを交互に切り替える構成となる。なお、第１ダンパ３と第２ダンパ６は、予め設定された所定時間ごとに交互に切り替えてもよい。
【００６３】
図９は、ダンパの開度と圧力の関係を示す図である。
【００６４】
外気ＯＡは、第１ファン７によって、水分吸脱着部１に送風され、吸脱着部材１’を通り、第１ダンパ３を通過して、給気ＳＡとして送風される。戻り空気ＲＡは、第２ファン８によって、水分吸脱着部１に送風され、吸脱着部材１’を通り、第２ダンパ６を通過して、排気ＥＡとして送風される。ここで、＋は圧力の状態を示し、＋の数が多い位置が＋の数が少ない位置よりも圧力が高いことを示している。
【００６５】
図９（ａ）は、第１ダンパ３の開度が５０％、第２ダンパ６の開度が１００％の場合を示す。図９（ａ）の場合、処理空気を通過させる第１ダンパ３を有する流路の方が、再生空気を通過させる第２ダンパ６を有する流路よりも、圧力が高い。
【００６６】
図９（ｂ）は、第１ダンパ３の開度が１００％、第２ダンパ６の開度が５００％の場合を示す。図９（ｂ）の場合、処理空気を通過させる第１ダンパ３を有する流路の方が、再生空気を通過させる第２ダンパ６を有する流路よりも、圧力が低い。
【００６７】
図１０は、処理空気の流路の圧力が再生空気の流路の圧力よりも高い場合の吸脱着材シート１１での水分の様子を示す図である。
【００６８】
図１０（ａ）に示すように処理空気を通過させる第１ダンパ３を有する流路の方が、再生空気を通過させる第２ダンパ６を有する流路よりも、圧力が高い場合、湿った処理空気側から乾いた再生空気側へ向けて、空気が流れやすくなり、吸脱着材シート１１に水分を含んだ空気がしみ込みやすくなる。その結果、図１０（ｂ）に示すように、吸脱着材１１ｃへ水分が取り込まれる。
【００６９】
図１１は、処理空気の流路の圧力が再生空気の流路の圧力よりも低い場合の吸脱着材シート１１での水分の様子を示す図である。
【００７０】
図１１（ａ）に示すように処理空気を通過させる第１ダンパ３を有する流路の方が、再生空気を通過させる第２ダンパ６を有する流路よりも、圧力が低い場合、乾いた再生空気側から湿った処理空気側へ向けて、空気が流れやすくなり、吸脱着材シート１１に乾いた空気がしみ込みやすくなる。その結果、図１１（ｂ）に示すように、吸脱着材１１ｃから水分が放出される。
【００７１】
図１２は、図１１の後、再び、処理空気の流路の圧力が再生空気の流路の圧力よりも高くなった場合の吸脱着材シート１１での水分の様子を示す図である。
【００７２】
図１２に示すように、図１１の後、再び、処理空気を通過させる第１ダンパ３を有する流路の方が、再生空気を通過させる第２ダンパ６を有する流路よりも、圧力を高くした場合、湿った処理空気側から乾いた再生空気側へ向けて、空気が流れやすくなり、吸脱着材シート１１内の水分を含んだ空気が再生空気側に押し出されることになる。
【００７３】
したがって、第１ダンパ３と第２ダンパ６が開度小と開度大を交互に繰り返すように制御することにより、処理空気側から再生空気側へ水分を効率的に放出することが可能となる。
【００７４】
本実施形態の吸脱着部材１’によれば、水分を吸脱着する吸脱着材１１ａ及び吸脱着材１１ａを保持する繊維１１ｃを有する吸脱着材シート１１と、波形に形成され吸脱着材シート１１の一方の面に積層されることで第１流路Ａを形成する第１セパレータ１２1と、波形に形成され吸脱着材シート１１の他方の面に第１セパレータ１２1とは異なる角度で積層されることで第１流路Ａとは異なる角度で第２流路Ｂを形成する第２セパレータ１２2と、を備えるので、低コストで、小さいスペースに設置することが可能であると共に、省エネルギを実現することが可能な吸脱着部材１’及びそれを用いた空調システム１０を提供することが可能となる。
【００７５】
本実施形態の吸脱着部材１’によれば、吸脱着材シート１１、第１セパレータ１２1、及び第２セパレータ１２2で積層体２１を形成し、積層体２１を吸脱着材シート１１とは別の吸脱着材シート１１を挟んで少なくとも２つ積層するので、簡単な構造で水分の吸脱着をすることが可能となる。
【００７６】
本実施形態の空調システム１０によれば、外気を冷却する第１冷却部２と、第１冷却部２で冷却され第１流路Ａを通過した空気の流量を制御する第１ダンパ３と、第１ダンパ３を通過した空気を冷却する第２冷却部４と、室内の空気を加熱する加熱部５と、加熱部５で加熱され第２流路Ｂを通過した空気の流量を制御する第２ダンパ６と、を備えるので、第１ダンパ３と第２ダンパ６の開度を制御することにより、水分の吸脱着を制御することが可能となる。
【００７７】
本実施形態の空調システム１０によれば、第１ダンパ３の開度及び第２ダンパ６の開度を制御する制御部を備え、制御部は、第１ダンパ３の開度が第２ダンパ６の開度よりも小さい第１の状態と、第１ダンパ３の開度が第２ダンパ６の開度よりも大きい第２の状態と、を交互に切り替えるので、簡単に水分の吸脱着を制御することが可能となる。
【００７８】
本実施形態の空調システム１０によれば、制御部は、第１の状態と第２の状態とを所定時間毎に切り替えるので、さらに簡単に水分の吸脱着を制御することが可能となる。
【００７９】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【００８０】
１…水分吸脱着部
１’…吸脱着部材
２…第１冷却部
３…第１ダンパ
４…第２冷却部
５…加熱部
６…第２ダンパ
１０…空調システム
１１…吸脱着材シート
１２…セパレータ
【図１】
2014139489.tif 000003
【図２】
2014139489.tif 000004
【図３】
2014139489.tif 000005
【図４】
2014139489.tif 000006
【図５】
2014139489.tif 000007
【図６】
2014139489.tif 000008
【図７】
2014139489.tif 000009
【図８】
2014139489.tif 000010
【図９】
2014139489.tif 000011
【図１０】
2014139489.tif 000012
【図１１】
2014139489.tif 000013
【図１２】
2014139489.tif 000014
【図１３】
2014139489.tif 000015